(57)【要約】本発明は、携帯端末におけるマルチメディアサービス提供方法及びその装置を提供するためのものである。本発明によれば、パッケージデータはマルチメディアサービス提供装置で生成及び保存される。上記パッケージデータは、携帯端末で実行される実行条件及び上記実行条件による所定のマルチメディアファイルを含む。上記携帯端末が上記マルチメディアサービス提供装置に、通信ネットワークを通して接続し、上記マルチメディアデータを要請すれば、上記マルチメディアデータを含む上記パッケージデータが上記携帯端末に伝送される。従って、上記携帯端末は、多様なマルチメディアサービスを簡便に提供されることができる。
2006523070.tif 000002
【特許請求の範囲】
【請求項１】
（ａ）携帯端末で実行される実行条件及び上記実行条件による所定のマルチメディアファイルを含むパッケージデータを生成及び保存する段階及び、
（ｂ）上記携帯端末に予め設定された条件に応じて、通信ネットワークを通して上記パッケージデータをダウンロードする段階を含むことを特徴とする携帯端末におけるマルチメディアサービス提供方法。
【請求項２】
上記方法は、
（ｃ）上記パッケージデータを受信した上記携帯端末で上記実行条件が満足された場合、上記実行条件に応じたマルチメディアファイルが実行される段階をさらに含むことを特徴とする請求項１に記載の携帯端末におけるマルチメディアサービス提供方法。
【請求項３】
上記方法は、上記携帯端末のキーパッドから発生するキー信号が上記携帯端末に入力されることで、上記実行条件が満足されることを特徴とする請求項１又は２に記載の携帯端末におけるマルチメディアサービス提供方法。
【請求項４】
上記キー信号は、上記携帯端末に電源を供給するための開始キー信号、上記携帯端末に呼が要請された場合に呼を連結するための呼受信キー信号、上記携帯端末を利用して呼を要請する場合の呼発信キー信号、上記携帯端末を終了するための終了キー信号、及び上記携帯端末を利用して無線通信ネットワークに接続する場合のインターネット接続キー信号のうち、何れか１つであることを特徴とする請求項３に記載の携帯端末におけるマルチメディアサービス提供方法。
【請求項５】
上記方法は、上記携帯端末の数字キー信号が上記携帯端末に入力されることで上記実行条件が満足されることを特徴とする請求項３に記載の携帯端末におけるマルチメディアサービス提供方法。
【請求項６】
上記方法は、上記携帯端末の特殊キー信号が上記携帯端末に入力されることで上記実行条件が満足されることを特徴とする請求項５に記載の携帯端末におけるマルチメディアサービス提供方法。
【請求項７】
上記段階ａ）の上記パッケージデータ生成及び保存段階は、
ａ−１）上記携帯端末で実行される少なくとも一つの実行条件が設定される段階、
ａ−２）上記設定された実行条件に応じた所定のマルチメディアファイルを選択する段階及び、
ａ−３）上記実行条件と上記実行条件に応じたマルチメディアファイルとを、一つのファイルとして生成及び保存する段階を含むことを特徴とする請求項１に記載の携帯端末におけるマルチメディアサービス提供方法。
【請求項８】
上記パッケージデータは、通信ネットワーク上での伝送容量を減らすために、圧縮ファイルで保存されることを特徴とする請求項１又は７に記載の携帯端末におけるマルチメディアサービス提供方法。
【請求項９】
上記パッケージデータは、パッケージ生成サーバでのパッケージデータの生成を迅速に行えるために、単純な併合ファイルで保存されることを特徴とする請求項１又は７に記載の携帯端末におけるマルチメディアサービス提供方法。
【請求項１０】
上記予め設定された条件は、
上記携帯端末から上記マルチメディアファイルのダウンロード要求メッセージを受信することであることを特徴とする請求項１に記載の携帯端末におけるマルチメディアサービス提供方法。
【請求項１１】
上記マルチメディアファイルは、画像データ及び音響データを含むことを特徴とする請求項１に記載の携帯端末におけるマルチメディアサービス提供方法。
【請求項１２】
（i）携帯端末で実行される少なくとも一つの実行条件が設定される段階、
（ii）上記設定された実行条件に応じた所定のマルチメディアファイルが選択される段階、
（iii）上記実行条件と上記実行条件に応じたマルチメディアファイルとを含むパッケージデータを生成して保存する段階、
（iv）上記携帯端末に予め設定された条件によって、通信ネットワークを通して上記パッケージデータをダウンロードし、上記携帯端末のメモリー部に保存する段階及び、
（v）上記パッケージデータを受信した上記携帯端末で上記実行条件が満足された場合、上記実行条件によるマルチメディアファイルが実行される段階を含むことを特徴とする携帯端末におけるマルチメディアサービス提供方法。
【請求項１３】
上記マルチメディアデータは、画像データ、音響データ、及びテキストのうち少なくとも１つを含むことを特徴とする請求項１２に記載の携帯端末におけるマルチメディアサービス提供方法。
【請求項１４】
上記パッケージデータは、通信ネットワーク上での伝送容量を減らすために圧縮ファイルで保存されることを特徴とする請求項１３に記載の携帯端末におけるマルチメディアサービス提供方法。
【請求項１５】
上記パッケージデータは、パッケージ生成サーバでのパッケージデータの生成を迅速に行えるために、単純な併合ファイルで保存されることを特徴とする請求項１３に記載の携帯端末におけるマルチメディアサービス提供方法。
【請求項１６】
上記実行条件が満足される場合は、
上記携帯端末に電源を供給するための開始キー信号、上記携帯端末に呼が要請された場合に呼を連結するための呼受信キー信号、上記携帯端末を利用して呼を要請する場合の呼発信キー信号、上記携帯端末を終了するための終了キー信号、及び上記携帯端末を利用して無線通信ネットワークに接続する場合のインターネット接続キー信号のうち何れか１つが上記携帯端末に入力される場合であることを特徴とする請求項１２に記載の携帯端末におけるマルチメディアサービス提供方法。
【請求項１７】
上記方法は、上記携帯端末の数字キー信号又は特殊キー信号が選択的に上記携帯端末に入力されることによって、上記実行条件が満足されることを特徴とする請求項１２に記載の携帯端末におけるマルチメディアサービス提供方法。
【請求項１８】
携帯端末でマルチメディアファイルが実行される実行条件と上記実行条件に応じた所定のマルチメディアファイルとを含むパッケージデータを生成するためのパッケージデータ生成部及び、
上記パッケージデータ生成部で生成されたパッケージデータを保存し、所定の条件によって上記パッケージデータを上記携帯端末に伝送するためのパッケージデータ管理部を含むことを特徴とする携帯端末におけるマルチメディアサービス提供装置。
【請求項１９】
上記パッケージデータ生成部は、
マルチメディアファイル提供者サーバから伝送された上記マルチメディアファイルを所定の区分項目別に保存するためのデータベース管理モジュール及び、
多数の実行条件、及び上記多数の実行条件にそれぞれ結合された少なくとも一つのマルチメディアファイルを、１つのパッケージデータとして生成するためのパッケージデータ生成モジュールを含むことを特徴とする請求項１８に記載の携帯端末におけるマルチメディアサービス提供装置。
【請求項２０】
上記パッケージデータ管理部は、
上記マルチメディアサービスの提供を受ける多数の携帯端末の情報を管理するための使用者情報管理モジュール、
上記パッケージデータ生成部で生成されたパッケージデータを保存するための保存モジュール及び、
上記携帯端末からパッケージデータダウンロードの要請を受けた場合、又は、通信ネットワークで連結された上記携帯端末の最近のダウンロード情報を検索して所定の期間が到来した場合に、上記パッケージデータを上記携帯端末に伝送するための伝送モジュールを含むことを特徴とする請求項１８に記載の携帯端末におけるマルチメディアサービス提供装置。
【発明の詳細な説明】
【発明の詳細な説明】
【０００１】
〔技術分野〕
本発明は、マルチメディアサービス提供方法及びその装置に関し、より詳しくは、移動通信システム上で、使用者が携帯端末を使用する際、画像や音響などのマルチメディアサービスを提供するための方法及びその装置に関するものである。
〔背景技術〕
最近、携帯端末においては、無線インターネット機能及びマルチメディアサービス機能が強化されつつある。これに伴い、携帯端末の表示窓のサイズが大きくなり、高画質の画像も表示できるようになった。また、カメラ機能付きの携帯端末も市販されている。
【０００２】
携帯端末の表示窓の拡大及び性能改善に従って、携帯端末の表示窓を利用して自分なりの独特の個性を具現しようとする利用者の欲求を充足させるための多くの方案が開発されてきた。
【０００３】
かかる方案の１つとして、携帯端末に付いたカメラを利用して直接撮影した停止画像又は動画像、又は背景画面ダウンロードサービスを提供するウェブサーバからダウンロードした停止画像又は動画像を、携帯端末の表示窓に背景画面としてディスプレーする機能が広く愛用されている。
【０００４】
現在、携帯端末において画像表示が可能な背景画面の種類には、携帯端末の電源をオンにした時の開始画面、平常時の待機画面、電話がかかってきた時の着信画面、電話をかける時の発信画面、インターネット接続時の接続画面、及び携帯端末の電源をオフした時の終了画面などがある。
【０００５】
携帯端末の使用者が、携帯端末に付いたカメラを利用して直接撮影した停止画像又は動画像を保存するか、或いは、背景画面のダウンロードサービスを提供するウェブサーバから停止画像又は動画像をダウンロードした後、上述した背景画面に一つの停止画像又は動画像を設定して保存する。
【０００６】
すると、携帯端末をオンにする時は開始画面が表示され、オフする時は終了画面が表示され、平常時は待機画面が表示される。また、電話がかかってきた時は着信画面が携帯端末の画面に表示され、電話番号を入力し通話ボタンを選択した場合は発信画面が携帯端末の画面に表示され、インターネット接続ボタンを選択した場合はインターネット接続画面が携帯端末の画面に表示される。
【０００７】
しかし、従来の携帯端末においては、背景画面をディスプレーするそれぞれのイベントに対応する停止画像又は動画像を設定するために、数回の作業を繰り返し行わねばならなかった。このため、背景画面の数だけ同一の設定作業を行わねばならないという不都合があった。
【０００８】
その上、携帯端末の使用者は、上述した多数の背景画面を凝視する時間よりも、電話をかけるために相手方の電話番号を入力する時に、携帯端末の画面を凝視する時間がもっと長い。
【０００９】
しかし、従来の携帯端末の画面には、電話番号入力画面にキーパッドの数字ボタンによって入力される電話番号、即ち、数字のみが表示され、残りの空間は空白として残されたり、或いは、背景画面に数字のみが入力されるように設定されている。
【００１０】
また、従来の携帯端末の場合、上記多数の背景画面として予め設定された停止画像又は動画像、即ち、画像データが提供されるだけでなく、使用者による設定がなされている場合、携帯端末のキーパッドのボタンを選択する時、使用者によって予め設定された音響を聞かせてあげるサービスが提供される。
【００１１】
この時、キーパッドの各ボタンに割り当てられる背景画面サービス又は音響サービスを同時にダウンロードすることは不可能であるため、画像データ及び音響データを別途にそれぞれダウンロードして携帯端末の所定のメモリーに保存しなければならないという不都合があった。
【００１２】
従って、番号割当マルチメディアサービスにおいて、上記画像データ及び音響データを一つのマルチメディアファイルの形態で保存し携帯端末に伝送されるようにし、伝送されたマルチメディアファイルに含まれた画像データ（Video）、音響データ（Audio）、テキスト（Text）などを同時に提供するサービスが要望されていた。
〔発明の開示〕
本発明は、上記のような事情を勘案して案出されたもので、本発明の目的は、携帯端末の使用時において、キーボタンを押す間に、各イベントに割り当てられたマルチメディアデータを使用者に提供する、携帯端末におけるマルチメディアサービス提供方法及びその装置を提供することにある。
【００１３】
本発明の付加的な目的は、携帯端末の数字キー又は特殊キーを選択する間に、多様な背景画面がディスプレーされるようにするマルチメディアサービス提供方法及びその装置を提供することにある。
【００１４】
また、本発明の他の目的は、携帯端末に伝送されるマルチメディアファイルを含むデータが一つのパッケージデータとして変換され伝送されることによって、画像データ、音響データ、及びテキストデータのうちの少なくとも二つのデータが同時に携帯端末で実行されるようにするためのマルチメディアサービス提供方法及びその装置を提供することにある。
【００１５】
上記目的を達成するための本発明の第１の観点による携帯端末におけるマルチメディアサービス提供方法は、
（ａ）携帯端末で実行される実行条件及び上記実行条件による所定のマルチメディアファイルを含むパッケージデータを生成及び保存する段階；及び、
（ｂ）上記携帯端末に予め設定された条件に応じて、通信ネットワークを通して上記パッケージデータをダウンロードし、携帯端末のメモリー部に保存する段階；を含む。
【００１６】
望ましくは、上記方法は、
（ｃ）上記パッケージデータを受信した上記携帯端末において上記実行条件が満足された場合、上記実行条件に応じたマルチメディアファイルが実行される段階をさらに含む。
【００１７】
より望ましくは、上記方法は、上記携帯端末のキーパッドから発生するキー信号が上記携帯端末に入力されることで、上記実行条件が満足されることを特徴とする。
【００１８】
この時、上記キー信号は、上記携帯端末に電源を供給するための開始キー信号、上記携帯端末に呼が要請された場合に呼を連結するための呼受信キー信号、上記携帯端末を利用して呼を要請する場合の呼発信キー信号、上記携帯端末を終了するための終了キー信号、及び上記携帯端末を利用して無線通信ネットワークに接続する場合のインターネット接続キー信号のうち、何れか１つである。
【００１９】
上記方法は、上記携帯端末の数字キー信号又は特殊キー信号が上記携帯端末に入力されるか、又は、上記開始キー信号が入力された後に、待機モードへの切換信号が上記携帯端末に入力されることで上記実行条件が満足されることを特徴とする。
【００２０】
より望ましくは、上記段階ａ）の上記パッケージデータ生成及び保存段階は、
ａ−１）上記携帯端末で実行される少なくとも一つの実行条件が設定される段階、
ａ−２）上記設定された実行条件に応じた所定のマルチメディアファイルを選択する段階及び、
ａ−３）上記実行条件と上記実行条件に応じたマルチメディアファイルとを、一つのファイルとして生成して保存する段階を含む。
【００２１】
この時、上記パッケージデータは、サービス提供会社の目的に応じて通信ネットワーク上での伝送容量を減らすために圧縮ファイルの形で保存することもでき、単純なファイル併合の形態で提供されることもできる。
【００２２】
また、上記携帯端末から上記マルチメディアファイルのダウンロード要求メッセージを受信した時、又は、上記携帯端末に上記マルチメディアファイルをダウンロードするための所定の時間が到来した場合は、上記パッケージデータを携帯端末に伝送する。上記マルチメディアファイルは、画像データ及び音響データを含む。
【００２３】
上記目的を達成するための本発明の第２の観点による携帯端末におけるマルチメディアサービス提供方法は、
（i）携帯端末で実行される少なくとも一つの実行条件が設定される段階、
（ii）上記設定された実行条件に応じた所定のマルチメディアファイルが選択される段階、
（iii）上記実行条件と上記実行条件に応じたマルチメディアファイルとを含むパッケージデータを生成して保存する段階、
（iv）上記携帯端末に予め設定された条件によって、通信ネットワークを通して上記パッケージデータをダウンロードし、メモリー部に保存する段階及び、
（v）上記パッケージデータを受信した上記携帯端末で上記実行条件が満足された場合、上記実行条件によるマルチメディアファイルが実行される段階を含むことを特徴とする。
【００２４】
望ましくは、上記マルチメディアデータは、画像データ、音響データ、及びテキストを含むことを特徴とし、上記パッケージデータは、サービス提供会社の目的に応じて、通信ネットワーク上での伝送容量を減らすために圧縮ファイルで保存されるか、単純なデータ併合の形で提供され得ることを特徴とする。
【００２５】
より望ましくは、本発明で上記実行条件が満足される場合とは、上記携帯端末に電源を供給するための開始キー信号、上記携帯端末に呼が要請された場合に呼を連結するための呼受信キー信号、上記携帯端末を利用して呼を要請する場合の呼発信キー信号、上記携帯端末を終了するための終了キー信号、及び上記携帯端末を利用して無線通信ネットワークに接続する場合のインターネット接続キー信号のうち何れか１つが上記携帯端末に入力される場合であり、また、上記携帯端末の数字キー信号又は特殊キー信号が選択的に上記携帯端末に入力される場合である。
【００２６】
上記目的を達成するための本発明の第３の観点による携帯端末におけるマルチメディアサービス提供装置は、
携帯端末でマルチメディアファイルが実行される実行条件と上記実行条件に応じた所定のマルチメディアファイルとを含むパッケージデータを生成するためのパッケージデータ生成部及び、
上記パッケージデータ生成部で生成されたパッケージデータを保存し、所定の 条件によって上記パッケージデータを上記携帯端末に伝送するためのパッケージデータ管理部を含んで構成される。
【００２７】
望ましくは、上記パッケージデータ生成部は、マルチメディアファイル提供者サーバから伝送された上記マルチメディアファイルを所定の区分項目別に保存するためのデータベース管理モジュール及び、
多数の実行条件、及び上記多数の実行条件にそれぞれ結合された少なくとも一つのマルチメディアファイルを、１つのパッケージデータとして生成するためのパッケージデータ生成モジュールを含み、
上記パッケージデータ管理部は、上記マルチメディアサービスの提供を受ける多数の携帯端末の情報を管理するための使用者情報管理モジュール、
上記パッケージデータ生成部で生成されたパッケージデータを保存するための 保存モジュール及び、
上記携帯端末からパッケージデータダウンロードの要請を受けた場合、又は、通信ネットワークで連結された上記携帯端末の最近のダウンロード情報を検索して所定の期間が到来した場合に、上記パッケージデータを上記携帯端末に伝送するための伝送モジュールを含む。
【００２８】
これにより、本発明は、携帯端末に対して多様なマルチメディアサービスを具現することができる。
〔発明を実施するための最良の形態〕
以下、添付図面を参照しながら、本発明の望ましい実施例を詳しく説明する。
【００２９】
図１は、本発明の一実施例による携帯端末におけるマルチメディアサービス提供装置を含むマルチメディアサービス提供システムを示している。
【００３０】
図１に示したように、本発明のマルチメディアサービス提供システムは、携帯端末２００、移動通信システムを含む通信ネットワーク１２０、マルチメディアファイル提供者サーバ１３０、及びマルチメディアコンテンツ提供装置１００を含んで構成される。
【００３１】
移動通信システムは、未図示の基地局、交換機、ホーム位置登録機、ＳＭＳ（Short Message Service）センターを含んで構成される。上記基地局（base station）は、基地局送受信機（base transceiver station；ＢＴＳ）及び基地局制御機（base station controller；ＢＳＣ）を含む。
【００３２】
携帯端末２００は、通信ネットワーク１２０を通して携帯電話プロトコルと同一の広帯域プロトコルを使用して、マルチメディアコンテンツ提供装置１００との通信を行う。
【００３３】
マルチメディアコンテンツ提供装置１００は、パッケージデータ生成部１５０及びパッケージデータ管理部１７０を含んで構成される。一つの応用例によれば、パッケージデータ生成部１５０及びパッケージデータ管理部１７０は、有無線の通信ネットワークを通して連結されるが、他の応用例では、専用ラインを通して連結される。望ましくは、一つの装置内に設置される（図１参照）。
【００３４】
パッケージデータ生成部１５０は、携帯端末２００に受信されるパッケージデータを生成するが、上記パッケージデータは、マルチメディアファイル、及び上記マルチメディアファイルが上記携帯端末２００で実行される実行条件を含む。上記機能を有するパッケージデータ生成部１５０は、マルチメディアファイル受信モジュール１５１、データベース管理モジュール１５３、及びパッケージデータ生成モジュール１５５を含む。
【００３５】
上記マルチメディアファイル受信モジュール１５１は、マルチメディアファイル提供者サーバ１３０から周期的又は非周期的に提供されるマルチメディアファイルを受信して保存する。
【００３６】
上記データベース管理モジュール１５３は、上記マルチメディアファイル提供者サーバ１３０から提供されるマルチメディアファイルを所定の区分項目別に保存する。
【００３７】
上記パッケージデータ生成モジュール１５５は、一つの実行条件に少なくとも一つのマルチメディアファイルを結合する。また、上記の方式で結合された多数の実行条件及び上記多数の実行条件にそれぞれ結合されたマルチメディアファイルを纏めて、一つのパッケージデータを生成する。
【００３８】
上記パッケージデータ生成部１５０は、移動通信サービス提供会社によって運営される場合もあり、マルチメディアファイル提供者によって運営される場合もあり得る。
【００３９】
パッケージデータ管理部１７０は、上記パッケージデータ生成部１５０で生成されたパッケージデータを保存し、所定の条件に応じて上記パッケージデータを携帯端末２００に伝送する。上記パッケージデータ管理部１７０は、伝送モジュール１７１、保存モジュール１７３、及び使用者情報管理モジュール１７５を含んで構成される。
【００４０】
上記使用者情報管理モジュール１７５は、マルチメディアサービスを申し込んだ加入者の情報を管理し、使用者が要求するマルチメディア データを処理するＣＰＵなどのハードウェアを含む。
【００４１】
保存モジュール１７３は、上記パッケージデータ生成部１５０から伝送された パッケージデータを保存するハードディスクドライブなどで構成される。
【００４２】
伝送モジュール１７１は、通信ネットワーク１２０を通して、上記パッケージデータを携帯端末２００に伝送する。この時、上記伝送モジュール１７１は、携帯端末２００からのパッケージデータダウンロード要請メッセージが受信された場合に、上記パッケージデータを携帯端末２００に伝送する。
【００４３】
図２は、本発明の一実施例が適用される携帯端末の概略的な内部構成のブロック図である。
【００４４】
本発明の携帯端末２００は、携帯電話だけでなく、ＰＤＡ、ノートＰＣなどを含む。本発明では一実施例として携帯端末を説明しているが、通信ネットワーク１２０を通して有線又は無線インターネットに接続可能な有線又は無線端末機には全て適用が可能である。
【００４５】
携帯端末２００は、データ及び音声信号伝送部２１０、マイク２２０、スピーカー２３０、制御部２４０、キーパッド２５０、ディスプレー装置２６０、及びメモリー２７０を含んで構成される。
【００４６】
上記制御部２４０は、携帯端末２００の運用プログラム、運営に必要なデータ、応用プログラムなどのソフトウェアを基盤にして、携帯端末の内部ディバイスを制御及び管理する。
【００４７】
上記メモリー２７０は、ダウンロードしたパッケージデータなどを保存する。
【００４８】
上記キーパッド２５０は、数字、文字、特殊技能などを、携帯端末２００の制御部２４０に入力するための入力手段である。
【００４９】
上記ディスプレー装置２６０は、上記キーパッド２５０から入力されたキー信号だけでなく、イメージ、動画像などの上記メモリー２７０に保存されたパッケージデータ内のマルチメディアファイルもディスプレーする。
【００５０】
上記スピーカー２３０は、受信された音声信号、パッケージデータ内の音響データなどを出力する。
【００５１】
上記構成の携帯端末では、上記キーパッド２５０のボタン選択によって発生するキー信号の入力などのような所定の条件に応じて、マルチメディアファイル（例えば、それぞれ異なる画像データ、音響データ、及びテキストデータ）が実行されるサービスが行われる。
【００５２】
上述のように構成された本発明のマルチメディアデータ提供方法について、より詳しく説明すれば、次の通りである。
【００５３】
図３は、本発明の一実施例によるマルチメディアサービス提供方法を概略的に説明するためのフローチャートである。
【００５４】
本発明のマルチメディアサービス提供方法を概略的に説明すれば、まず、マルチメディアファイル提供者サーバ１３０から提供された画像データ、音響データ、及びテキストデータのうち少なくとも一つのデータからパッケージデータを生成する（Ｓ３１０）。
【００５５】
或いは、マルチメディアデータ提供会社は、ＰＣなどを利用して、画像データ、 音響データ及びテキストデータなどをパッケージデータとして生成した後、マルチメディアコンテンツ提供装置１００にアップロードすることができる。
【００５６】
生成されたパッケージデータは、所定の条件を満足する場合、携帯端末２００に伝送される（Ｓ３２０）。
【００５７】
伝送された上記パッケージデータは、携帯端末２００のメモリー２７０に保存され、携帯端末２００のキー信号が入力される等の所定の条件を満足する場合、上記パッケージデータに含まれたマルチメディアファイルが実行され、画像データ及びテキストデータはディスプレー部２６０に提供され、音響データはスピーカー２３０を通して提供される（Ｓ３３０）。
【００５８】
図４は、本発明の一実施例によるマルチメディアサービス提供方法をより詳しく説明するためのフローチャートである。
【００５９】
マルチメディアファイル提供者サーバ１３０から提供されるマルチメディアファイルを、マルチメディアコンテンツ提供装置１００が受信する（Ｓ４１０）。受信されたマルチメディアファイルは、パッケージデータ生成部１５０のマルチメディアファイル受信モジュール１５１に保存される。上記マルチメディアファイルは、アイテム別にデータベースに保存され、これは、データベース管理モジュール１５３で管理される。
【００６０】
携帯端末で実行される実行条件は、その実行条件が満足された場合に実行される少なくとも一つ以上のマルチメディアファイルと結合される（Ｓ４２０）。
【００６１】
上記実行条件は少なくとも１つであり、上記実行条件が多数の場合は、上記多数の実行条件及び多数の実行条件のそれぞれに対応するマルチメディアファイルを纏め一つのパッケージデータとして生成する（Ｓ４３０）。
【００６２】
一例として、携帯端末２００内でマルチメディアファイルが実行される実行条件は、携帯端末２００のキーパッドから発生するキー信号の入力及び携帯端末の待機状態などと設定される。
【００６３】
上記キー信号としては、上記携帯端末２００に電源を供給するための開始キー信号、上記携帯端末２００に呼が要請された場合に呼を連結するための呼受信 キー信号、上記携帯端末２００を利用して呼を要請する場合の呼発信キー信号、上記携帯端末２００を終了するための終了キー信号、及び上記携帯端末２００を利用して無線通信ネットワークに接続する場合のインターネット接続キー信号を含む。
【００６４】
上記キー信号は、電話番号を入力するための数字キー（０〜９）、特殊キー（＊、♯）などを含む。
【００６５】
付言すれば、パッケージデータの生成者は、上記実行条件のうち少なくとも一つの実行条件を選択した後、選択された実行条件に応じたマルチメディアファイルを選択する。
【００６６】
例えば、上記段階Ｓ４２０で、数字キー及び特殊キー（＊と♯）の１２個のキーに、動画像又は停止画像の十二支キャラクター及び音響データを含むマルチメディアファイルをそれぞれ指定する。より詳しく説明すれば、数字キー“０”に音響データ“ゼロ”と動画像のねずみキャラクターを含むマルチメディアファイルを指定し、特殊キーのうち“＊”には音響データである“アスタリクス”と動画像の犬キャラクターを含むマルチメディアファイルを指定する。
【００６７】
携帯端末２００が通信ネットワーク１２０を通してマルチメディアコンテンツ提供装置１００に接続し、マルチメディアデータに対するダウンロードを要請する場合、上記マルチメディアコンテンツ提供装置１００は、保存モジュール１７３に保存されているパッケージデータを上記携帯端末２００に伝送する（Ｓ４４０、Ｓ４５０）。
【００６８】
携帯端末２００に伝送されたパッケージデータは、携帯端末のメモリー２７０に保存される。
【００６９】
上記携帯端末２００で上記実行条件が満足される場合、上記メモリー２７０に保存されたパッケージデータがローディングされて携帯端末２００のディスプレー部２６０及びスピーカー２３０を通して上記パッケージデータに含まれた上記実行条件に応じたマルチメディアファイルが実行される（Ｓ４８０、Ｓ４９０）。
【００７０】
例えば、上述した一例にように、使用者が数字キー“０”を選択した場合、即ち、キー信号の入力という実行条件が満足された場合は、上記数字キー“０”に設定されたねずみキャラクターがディスプレー部２６０に動画像又は停止画像として登場すると同時に、“ゼロ”という音響データがスピーカー２３０を通して出力される。
【００７１】
図５は、本発明の一実施例によるパッケージデータのフォーマットである。
【００７２】
一つのパッケージデータ４００は、パッケージデータに対する情報を含んでいるヘッダー部分４１０、画像データであるビデオ４２０、音響データであるオーディオ４４０、及びテキスト４３０で構成される。
【００７３】
上記ヘッダー部分４１０では、パッケージデータ内の各データをどのような実行条件に割り当てるかに対する定義が可能である。上記各実行条件は、本マルチメディアサービス提供方法及びその装置を通してサービスを提供する事業者によって決定される。そして、上記各実行条件は、数字キー（０〜９）、＊（アスタリクス・キー）と♯（シャープ・キー）を含む特殊キーを押す場合、電源のオン／オフ、呼の発信、呼の着信、待機状態、無線インターネット接続キーを選択する場合、及びその他の多様な状況と設定される。
【００７４】
上記ビデオデータ４２０領域は、該当データがどのような実行条件に割り当てられているかに対する情報４２１、コンテンツのフォーマットに対する情報４２２、及び実際のビデオデータ領域４２３から構成される。上記コンテンツのフォーマットは、停止イメージフォーマット（例えば、ＪＰＧ、ＧＩＦ、ＢＭＰ等）、アニメフォーマット（例えば、Ａｎｉｍａｔｉｏｎ ＧＩＦ、ＳＩＳ）、及び動画像フォーマット（例えば、ＭＰＥＧ４、ＡＶＩ）のうち少なくとも１つ以上を含む。
【００７５】
この時、割り当てられる実行条件の数及び割当方式によって、ビデオデータセットを定義することができる。例えば、数字キー及び特殊キーの選択時に同じ画像データで本サービスを提供する場合は、一つの画像データだけですむが、数字キー及び特殊キーのそれぞれの選択に対して相異なるマルチメディアファイルを提供しようとする場合は、図４に示したように、最少１２個のデータが必要となる。
【００７６】
上記テキストデータ４３０領域は、該当データがどのような実行条件に割り当てられているかに対する情報４３１と、テキストに対するフォント、サイズ、カラー、及び左右スクロールのようなアクション情報などを含む情報４３２と、テキスト自体のデータ４３３とから構成される。
【００７７】
その結果、画像データ又はテキストをディスプレー部２６０に出力する時、ディスプレー部２６０の上端位置、中央位置などのように表示位置を設定することもでき、左から右への左右スクロール、上から下への上下スクロールなどの効果を設定することもできる。テキストの場合、フォント設定、サイズ及びカラー、太字などの多様な効果を提供することができる。
【００７８】
上記オーディオデータ４４０領域は、該当データがどのような実行条件に割り当てられているかに対する情報４４１と、どのようなオーディオフォーマット（例えば、ｗａｖ、ｍｐ３）であるかに対する情報４２２と、実際のオーディオデータ領域４２３とから構成される。
【００７９】
また、効果音においても、音量調整などの多様な効果を提供することができ、差別化されたサービスが提供できるという効果がある。
〔産業上の利用可能性〕
以上、詳述したように、本発明の携帯端末におけるマルチメディアサービス提供方法及びその装置によれば、パッケージデータを一度だけダウンロードして携帯端末に保存しておけば、携帯端末の背景画面及び数字キー・特殊キーに別途の実行条件を設定しなくても、予め設定されている実行条件が満足された場合にマルチメディアファイルが携帯端末のディスプレー部及びスピーカーを通して実行される。これは、単純な絵又は単純な効果音だけを提供していた既存のサービスとは差別化されたサービスである。
【００８０】
また、マルチメディアサービス提供者がパッケージデータを製作する時、類似した性格を持つ複数のマルチメディアファイルを一つのパッケージに纏まって製作し、携帯端末の使用者は該当パッケージデータをダウンロードして使用することで、一貫したマルチメディアサービスの提供を受けることができる。
【図面の簡単な説明】
【００８１】
【図１】本発明の一実施例による携帯端末におけるマルチメディアサービス提供装置を含むマルチメディアサービス提供システムを示す図である。
【図２】本発明の一実施例が適用される携帯端末の概略的な内部構成を示すブロック図である。
【図３】本発明の一実施例によるマルチメディアサービス提供方法を概略的に説明するためのフローチャートである。
【図４】本発明の一実施例によるマルチメディアサービス提供方法を詳述するためのフローチャートである。
【図５】本発明の一実施例によるパッケージデータのフォーマットを示す図である。
【図１】
2006523070.tif 000003
【図２】
2006523070.tif 000004
【図３】
2006523070.tif 000005
【図４】
2006523070.tif 000006
【図５】
2006523070.tif 000007
【国際調査報告】
2006523070.tif 000008